(57)【特許請求の範囲】
【請求項１】
底部中央に回転従動部を備えた網容器と、
該網容器を上部から収納可能とし、底部中央に開口部を有する収容部を備えるとともに、前記回転従動部と係合し、前記収容部の下方から前記開口部に遊嵌状に臨ませた回転駆動部を有する駆動手段を備えた精米機本体部と、
を備えた家庭用精米機において、
前記回転駆動部には、前記開口部と回転駆動部との間に形成される隙間を覆う覆板を装着したことを特徴とする家庭用精米機。
【請求項２】
前記収容部の開口部周縁には、上方に向けた無端状の凸部を設け、前記覆板の下面には、前記凸部との間に所定の隙間をもって嵌合する無端状の凸部を形成した請求項１記載の家庭用精米機。
【請求項３】
前記覆板の周縁部には、前記回転駆動部の回転によって気流を発生させる羽体を１つ以上形成した請求項１又は請求項２記載の家庭用精米機。
【請求項４】
前記覆板には、前記回転従動部と係合する回転駆動部の係止片を嵌通させる嵌通口を設けた請求項１から請求項３のいずれかに記載の家庭用精米機。
【発明の詳細な説明】
【０００１】
【発明の属する技術分野】
本発明は、家庭用の小型の精米機に関するものである。
【０００２】
【従来の技術】
家庭用の小型の精米機について本発明者らは、例えば、特願平１１−８３２１号及び特願平１１−１９１９７号などを提案している。家庭用精米機１００は、図６に示すように、精米機本体部１０１と、該精米機本体部１０１内に設けた精米部１１８とから構成されている。
【０００３】
前記精米機本体部１０１は、上部に、凹状の収容部１０２を設け、該収容部１０２の下部には、後述する回転軸１０６を駆動させるための駆動モータ１１２やセンサー等の部品を内蔵して構成している。前記駆動モータ１１２は、出力軸１１３を上方に向けて配設しており、該出力軸１１３にはプーリ１１４を軸着している。該プーリ１１４は、動力伝達ベルト１１５を介して第１伝動部材１１１に接続している。前記収容部１０２の底部には、開口部１０９を設け、前記第１伝動部材１１１の上部を前記開口部１０９上方に遊嵌状に臨ませている。前記精米機本体部１０１には、前記収容部１０２の上部を覆う蓋１１６を着脱自在に装着している。
【０００４】
前記精米部１１８は、前記収容部１０２内に着脱自在に装着した糠容器１０３と、糠を通過させるための網部１０４を周側部に設けるとともに、前記糠容器１０３内に着脱自在に装着した略臼状の網容器１０５とから構成している。前記網容器１０５の底部には回転自在に回転軸１０６を立設し、該回転軸１０６には着脱自在に装着された攪拌体１０７を設けている。前記糠容器１０３の底部には所定の高さで底部を開口した円筒状の筒状開口部１０８を設け、前記網容器１０５の底部は、筒状開口部１０８の上端に載置させている。前記筒状開口部１０８内には、前記回転軸１０６の下端部に軸着した第２伝動部材１１０を配設し、該第２伝動部材１１０は前記第２伝動部材１１１と係合している。
【０００５】
このように構成した家庭用精米機１００は、玄米を前記網容器１０５内に投入し、精米運転を開始すると、駆動モータ１１２の駆動出力が動力伝達ベルト１１５を介して第２伝動部材１１１に伝達され、該第２伝動部材１１１に係合した第２伝動部材１１０が回転し、この回転に伴って前記回転軸１０６及び攪拌体１０７が回転する。前記玄米は、前記攪拌体１０７の回転によって攪拌され、粒々摩擦や前記網部１０４との接触などによって玄米の糠（ぬか）が除去されて精白され、一方、除去された糠は前記網部１０４から糠容器１０３内に排出されて該糠容器１０３内に堆積する。所定時間の精米運転が終了すると、前記蓋１１６を取り外した後、前記攪拌体１０７、網容器１０５及び糠容器１０３を順次取り外し、精白された精白米は網容器１０５から取り出し、一方、糠は糠容器１０３から取り出す。
【０００６】
【発明が解決しようとする課題】
前述のように、精米運転が終了して前記蓋１１６、攪拌体１０７、網容器１０５及び糠容器１０３を順次取り外すのであるが、糠容器１０３を取り外すときに、該糠容器１０３に堆積した糠が前記筒状開口部１０８から前記収容部１０２内に落下する場合がある。この落下する糠は、収容部１０２の底部や第２伝動部材１１１の上に落下するほか、前記開口部１０９と第２伝動部材１１１との間に形成された僅かな隙間に落下する。このため、前記隙間に落下した糠は、当該隙間を介して精米機本体部１０１内に入り込み、該精米機本体部１０１内に堆積するという問題点があった。また、前記収容部１０２内に落下した糠は、布などで拭き取るなどして清掃するのであるが、清掃が不十分で収容部１０２内に糠が残留したまま精米運転を繰り返すと、収容部１０２内に残留した糠は、振動等により、前述と同様に前記隙間を介して精米機本体部１０１内に入り込んで該精米機本体部１０１内に堆積するという問題点があった。精米機本体部１０１内に堆積したこの糠をそのままにしておくと、精米機本体部１０１内に内蔵した部品に悪影響を及ぼす懸念があり、また、この堆積した糠を取り除くには、精米機本体部１０１を分解する必要があった。
本発明は、上記問題点にかんがみ、精米機本体部内に糠が入ることのない家庭用精米機を提供することを技術的課題とした。
【０００７】
【課題を解決するための手段】
請求項１による家庭用精米機は、
底部中央に回転従動部を備えた網容器と、
該網容器を上部から収納可能とし、底部中央に開口部を有する収容部を備えるとともに、前記回転従動部と係合し、前記収容部の下方から前記開口部に遊嵌状に臨ませた回転駆動部を有する駆動手段を備えた精米機本体部と、
を備えた家庭用精米機において、
前記回転駆動部には、前記開口部と回転駆動部との間に形成される隙間を覆う覆板を装着した、という技術的手段を講じた。
【０００８】
よって、網容器と収容部との間に着脱自在に装着した糠容器を備えた形態においては、内部に糠が入った糠容器を取り外すときに、当該糠が収容部内に落下しても、前記収容部の開口部と回転駆動部との間に形成れた隙間は、覆板によって覆われているので、糠が精米機本体部内に入り込むことがない。
【０００９】
請求項２の家庭用精米機は、請求項１に加え、
前記収容部の開口部周縁には、上方に向けた無端状の凸部を設け、前記覆板の下面には、前記凸部との間に所定の隙間をもって嵌合する無端状の凸部を形成した、という技術的手段を講じた。
【００１０】
よって、前記収容部の開口部周縁と前記覆板の下面との間には、所定の隙間、つまり、互いに接触しない程度の隙間が形成されるので、前記収容部と精米機本体部との密閉度が向上される。よって、前記開口部と回転駆動部（第１伝動部材）との間で形成される隙間を介して精米機本体部内に糠が入り込むことがない。
【００１１】
請求項３による家庭用精米機は、前記請求項１又は請求項２に加え、
前記覆板の周縁部には、前記回転駆動部の回転によって気流を発生させる羽体を１つ以上形成した、という技術的手段を講じた。
【００１２】
精米運転中、前記収容部の底部に糠があっても、前記回転駆動部（第１伝動部材）の回転に伴い、前記羽体は気流を発生させる。よって、前記糠は前記気流によって噴風されるので、前記開口部と回転駆動部（第１伝動部材）との間で形成される隙間を介して糠が精米機本体部内に入り込むことがない。
【００１３】
請求項４による家庭用精米機は、前記請求項１から請求項３いずれかに加え、
前記覆板には、前記回転従動部と係合する回転駆動部の係止片を嵌通させる嵌通口を設けた請求項１から請求項３のいずれかに記載の家庭用精米機。
【００１４】
よって、嵌通口に回転駆動部（第１伝動部材）の係止片を嵌通して覆板を装着するので、覆板の装着が容易となるほか、覆板の回り止めとなるので、覆板を回転駆動部と確実に一体的に回転させることができる。
【００１５】
【発明の実施の形態】
本発明における家庭用精米機の好適な実施の形態について、図１〜図５を参照しながら説明する。図１は、家庭用精米機の全体構成を示す側断面図である。図２は、要部を拡大した拡大側断面図である。図３は、第１伝動部材及び覆板を示す斜視図である。図４は、覆板の平面図であり、図中に示した矢印は、第１伝動部材２０の回転方向を示す。図５は、図４におけるＡ−Ａの断面図である。
【００１６】
本発明の家庭用精米機１は、精米機本体部２ｂと精米部２ａとから構成している。
前記精米機本体部２ｂは、上部に、後述する糠容器及び網容器を収容するための円筒状で、かつ、凹状の収容部４を設け、該収容部４の下部には、駆動手段４０やセンサー等の部品を内蔵して構成している。前記駆動手段４０は、駆動モータ１５と、該駆動モータ１５、動力伝達ベルト２６、第１伝動部材２０（回転駆動部）及び軸受２４とから構成している。前記駆動モータ１５は、出力軸１６を上方に向けた状態で配設しており、該出力軸１６には、プーリ１７を軸着している。前記収容部４の底部４ａの中央には、開口部１９を形成し、また、収容部４の開口部１９の周縁には、断面凸状でリング状の凸部１９ａを形成している。前記開口部１９内には、後述する第２伝動部材１４（回転従動部）と係合して前記駆動モータ１５の動力を回転軸８に伝達する第１伝動部材２０（回転駆動部）を設けている。該第１伝動部材２０は、前記プーリ１７に動力伝達ベルト２６を介して接続したプーリ部２１と、該プーリ部２１の上面の中心から放射状に複数配設した係止片２２と、該係止片２２の外周に設けた断面凸状でリング状の凸部２５と、プーリ部２１の下面中心に形成した縦長の軸２３とから形成している。このように形成された第１伝動部材２０は、前記係止片２２を前記開口部１９の上方に臨ませ、かつ、前記凸部１９ａの内周と前記凸部２５の外周とが接触しない程度に隙間２７を空けた状態で、前記軸２３が軸受２４に軸支され、回転自在に配設している。
【００１７】
前記精米部２ａは、前記収容部４内に着脱自在に装着する糠容器５と、糠を通過させるための網部７を周側部に設けるとともに、前記糠容器５内に着脱自在に装着した略臼状の網容器６とから構成している。前記網容器６の底部６ａには、回転可能に立設した回転軸８を形成している。該回転軸８は、下部に摺動筒９を挿設し、さらに、それを前記底部６ａの中央に所定の高さで立設した円筒部９ａ内に挿入している。前記回転軸８には、攪拌体１０が着脱自在に嵌合されている。前記回転軸８はその上部を水平断面８角形に形成しており、前記攪拌体１０は、前記回転軸８の上部に嵌合する筒部１０ａと、該筒部１０ａの下部には回転軸８を中心にして放射方向に伸びる複数の攪拌翼１０ｂとを備えている。該攪拌翼１０ｂについては、本実施の形態では、回転軸８を中心とした対向方向に一つずつ設けた。
【００１８】
前記糠容器５の底部５ａの中央には、底面を開口させた筒状開口部１２を形成している。該筒状開口部１２は、その中間から下方に向って上部よりも径を大きくしている。前記底部６ａは、該底部６ａの下面に設けたリング部１１を筒状開口部１２の上端外周に嵌合させた状態で筒状開口部１２上に載置されている。前記網容器６の外周と糠容器５の内周とで形成した空間は、糠収容部１３となる。前記回転軸８の下端には、該下端に軸着した円盤部１４ａと、該円盤部１４ａの下面の中心から放射状に設けた複数の係止片１４ｂとから形成した第２伝動部材１４（回転従動部）を設け、該第２伝動部材１４は、前記筒状開口部１２内に配設している。
【００１９】
次に、本発明の特徴点を説明する。前記開口部１９内に設けた第１伝動部材２０の上面には、前記隙間２７を覆う覆板２８を装着している。該覆板２８は、円盤平面３２の外周に、前記凸部２５の内周と接触する立上り部３０と、前記凸部２５の上面と接触し、かつ、前記立上り部３０の外周に形成した鍔（つば）状の鍔部３１を備えている。また、該鍔部３１は、前記隙間２７及び凸部１９ａを覆うように形成している。そして、前記円盤平面３２及び立上り部３０には、前記各係止片２２を嵌通するための嵌通口２９を設けている。また、前記鍔部３１の下面の外側部分には、前記回転軸８の回転方向とは逆方向に傾斜させた羽体３３を適宜間隔毎に複数設けている。さらに、該羽体３３の内周にはリング状の凸部３４を設けている。このように形成した覆板２８は、前記各係止変２２を対応する嵌通口２９に嵌通させ、前記プーリ２１の上面にビス等の固定部材で固定している。前記嵌通口２９を第１伝動部材２０の係止片２２に嵌通して装着するので覆板２８の装着が容易となるほか、覆板２８の回り止めとなるので、覆板２８を第１伝動部材２０と確実に一体的に回転させることができる。また、前記凸部３４と凸部１９ａとは、互いに接触しない程度の所定の間隔３５をもって嵌合している。該隙間３５は、前記収容部４及び覆板２８等の部品の製作誤差や組み立て誤差を考慮し、限りなく小さくするのが好ましい。
【００２０】
このように前記覆板２８を上面に装着させた第１伝動部材２０と前記第２伝動部材１４とは、係止片２２及び係止片１４ｂを互いに係合させて、前記駆動モータ１５の動力を前記回転軸８に伝動するようにしている。前記軸受２４に装着した前記軸２３の下端には、該軸２３と供回りする板体３９を固着しており、該板体３９の近傍には当該板体３９の回転を検知する回転センサー３６を設けている。前記精米機本体部２ｂの周面には、操作面部３７を備えており、該操作面部３７の精米機本体部２ｂ内には、操作基盤３８を設けている。
【００２１】
次に、前記家庭用精米機１の作用を説明する。玄米を前記網容器６内に投入して蓋３を締めて、精米運転を開始すると、駆動モータ１５の駆動出力が出力軸１６、プーリ１７及び動力伝達ベルト２６を介して第１伝動部材２０のプーリ部２１に伝達され、前記係止片２２を介してその動力が第２伝動部材１４に伝動され、該第２伝動部材１４が回転する。この回転に伴って前記回転軸８及び攪拌体１０も回転する。前記玄米は、前記攪拌体１０の回転によって攪拌され、粒々摩擦や前記網部７との接触などによって玄米の糠（ぬか）が除去されて精白され、一方、除去された糠は前記網部７から糠容器５内に排出されて前記糠収容部１３に堆積する。所定時間の精米運転が終了すると、前記蓋３を取り外した後、前記攪拌体１０、網容器６、糠容器５を順次取り外し、精白された精白米は網容器６から取り出し、一方、糠は糠容器５から取り出す。
【００２２】
本発明の特徴作用である、清掃不足により前記収容部４の底部４ａに糠が残留した状態で精米運転を行う場合の作用について説明する。精米運転を開始すると、前記覆板２８は、第１伝動部材２０とともに回転し、この回転により、前記各羽体３３は、前記覆板２８の外縁部から外方向、つまり、前記開口部１９から離れる方向に向かう気流を生じさせる。この気流によって前記収容部４の底部４ａに残留した糠は、前記外方向に噴風されるので、前記隙間３５に前記糠を寄せ付けることがない。よって、収容部４の底部４ａが振動等で揺れても、糠が前記精米機本体部２ｂ内に開口部１９を介して入り込むことがないので、精米機本体部２ｂ内に糠が堆積することがなく、精米機本体２の下部内に内蔵した駆動モータ１５、操作基盤３８及び回転センサー３６などの部品に悪影響を及ぼすことはなく、また、前記精米機本体部２ｂを分解して堆積した糠を取り除く必要もない。さらに、前記凸部３４及び凸部１９ａの形成により、覆板２８の下面と、収容部４の底部４ａにおける開口部１９の周縁部の外側部分との間には、互いに接触しない程度の隙間３５が形成されるので、収容部４内と精米機本体部２ｂ内との密閉度が向上される。よって、前記隙間３５は、糠の通過の妨げとなるため、精米機本体部２ｂ内への糠の侵入をより確実に防ぐことができる。
【００２３】
また、図１に示すように、駆動モータ１５に送風して駆動モータ１５を冷却させるための送風羽１８を出力軸１６に軸着した形態においては、前記送風羽１８の回転による送風作用に伴って、前記隙間２７では、前記収容部４内から精米機本体部２ｂ内に向かう空気の流れが生じ、収容部４内の糠が前記空気とともに精米機本体部２ｂ内に入り込み易くなるという懸念がある。しかしながら、上記本発明の作用で述べたように、各羽体３３による覆板２８の外周から外方向に向かう気流によって前記糠が噴風されるので、糠を開口部１９に寄せ付けず、前記精米機本体部２ｂ内に糠が入り込むことはない。よって、このような形態においては、本発明は、効果的な解決手段となる。
【００２４】
上記の実施の形態では、収容部４内に糠容器５を収容するものとしたが、糠容器５を備えず、前記網容器６を収容部４内に直接収容するようにした形態でも効果がある。すなわち、この形態の場合、玄米から取り除かれた糠は、前記収容部４の底部に堆積するが、前記本発明の作用のである、各羽体３３による覆板２８の外周から外方向に向かう気流によって前記糠が噴風されるので、糠を開口部１９に寄せ付けず、前記精米機本体部２ｂ内に糠が入り込むことはない。
【００２５】
最後に、上記実施の形態では、前記羽体３３は、前記覆板２８の下面に設けているが、この羽体３３を設ける位置は、前記覆板２８の上面に設けてもよく、また、前記覆板２８の周縁部に設けてもよい。さらに、羽体３３は、１つでもよいが、好ましくは複数設けるのがよい。
【００２６】
【発明の効果】
本発明によると、網容器と収容部との間に着脱自在に装着した糠容器を備えた形態においては、内部に糠が入った糠容器を取り外すときに、当該糠が収容部内に落下しても、前記収容部の開口部と回転駆動部との間で形成される隙間は覆板によって覆われているので、糠が精米機本体部内に入り込むことがない。
【００２７】
また、収容部の開口部周縁と覆板の下面との間には、所定の隙間、つまり、互いに接触しない程度の隙間が形成されるので、収容部と精米機本体部との間の密閉度が向上される。よって、前記収容部の開口部と回転駆動部との間で形成される隙間を介して精米機本体部内に糠が入り込むことがない。
【００２８】
さらに、精米運転中、収容部の底部に糠があっても、回転駆動部の回転に伴い、羽体は気流を発生させる。よって、前記糠は前記気流によって噴風されるので、前記収容部の開口部と回転駆動部との間で形成される隙間を介して糠が精米機本体部内に入り込むことがない。
【００２９】
また、嵌通口に回転駆動部の係止片を嵌通して覆板を装着するので、覆板の装着が容易となるほか、覆板の回り止めとなるので、覆板を回転駆動部と確実に一体的に回転させることができる。
【図面の簡単な説明】
【図１】本発明の実施の形態における家庭用精米機の全体構成を示す側断面図である。
【図２】実施の形態の要部を拡大した拡大側断面図である。
【図３】第１伝動部材及び覆板を示す斜視図である。
【図４】覆板の平面図である。
【図５】図４におけるＡ−Ａの断面図である。
【図６】従来の家庭用精米機の全体構成を示す側断面図である。
【符号の説明】
１  家庭用精米機
２ａ  精米部
２ｂ  精米機本体部
３  蓋
４  収容部
４ａ  底部
４ｂ  周側面
５  糠容器
５ａ  底面
６  網容器
６ａ  底面
７  網部
８  回転軸
９  摺動筒
９ａ  円筒部
１０  攪拌体
１０ａ  筒部
１０ｂ  攪拌翼
１１  リング部
１２  筒状開口部
１３  糠収容部
１４  第２伝動部材（回転従動部）
１４ａ  円盤部
１４ｂ  係止片
１５  駆動モータ
１６  出力軸
１７  プーリ
１８  送風羽
１９  開口部
１９ａ  凸部
２０  第１伝動部材（回転駆動部）
２１  プーリ部
２２  係止片
２３  軸
２４  軸受
２５  凸部
２６  駆動伝達ベルト
２７  隙間
２８  覆板
２９  嵌通口
３０  立上り部
３１  鍔部
３２  円盤平面
３３  羽体
３４  凸部
３５  間隙
３６  回転センサー
３７  操作面部
３８  操作基盤
３９  板体
４０  駆動手段
１００  家庭用精米機
１０１  精米機本体
１０２  収容部
１０３  糠容器
１０４  網部
１０５  網容器
１０６  回転軸
１０７  攪拌体
１０８  筒状開口部
１０９  開口部
１１０  第２伝動部材
１１１  第１伝動部材
１１２  駆動モータ
１１３  出力軸
１１４  プーリ
１１５  動力伝達ベルト
１１６  蓋
１１８  精米部
【図１】
0004389134.tif 000002
【図２】
0004389134.tif 000003
【図３】
0004389134.tif 000004
【図４】
0004389134.tif 000005
【図５】
0004389134.tif 000006
【図６】
0004389134.tif 000007